(57)【要約】【課題】この発明はベッド本体に設けられる手摺り部材に細菌が付着しても、その細菌が繁殖するのを防止したベッド装置を提供することにある。【解決手段】ベッドフレーム４と、ベッド本体に設けられる手摺り部材９，２５を備え、  手摺り部材は殺菌性及び抗菌性を有する材料によって形成されている。【選択図】      図１
2014188346.tif 000002
【特許請求の範囲】
【請求項１】
ベッド本体と、
このベッド本体に設けられる手摺り部材を備え、
上記手摺り部材は殺菌性及び抗菌性を有する材料によって形成されていることを特徴とするベッド装置。
【請求項２】
上記ベッド本体の幅方向の少なくとも一側には側柵が設けられ、この側柵の上部には上記手摺部材が設けられていることを特徴とする請求項１記載のベッド装置。
【請求項３】
上記ベッド本体の長手方向の少なくとも一端部にはボード体が設けられ、このボード体の上部には上記手摺部が設けられていることを特徴とする請求項１又は請求項２記載のベッド装置。
【請求項４】
上記手摺り部材の少なくとも表面を構成する材料は銅若しくは銅を含む合金であることを特徴とする請求項１乃至請求項３のいずれかに記載のベッド装置。
【請求項５】
上記手摺り部材は、取り外し可能に設けられていることを特徴とする請求項１乃至請求項４のいずれかに記載のベッド装置。
【発明の詳細な説明】
【技術分野】
【０００１】
この発明は病院などで用いる場合に好適するベッド装置に関する。
【背景技術】
【０００２】
たとえば、病院で用いられるベッド装置はベッド本体を有し、このベッド本体の長手方向一端にはボード体としてのヘッドボード体、他端には同じくボード体としてのフットボード体が設けられたものがある。
【０００３】
さらに、上記ベッド装置には、利用者がベッド本体から落ちたり、利用者に掛けられた掛け布団などがベッド本体上からずれ落ちるのを防止するため、ベッド本体の側部に側柵を設けることができるようにしているものがある。
【０００４】
上記構成のベッド装置において、身体の不自由な利用者、たとえば足腰が不自由な利用者などが利用し易いようにするため、上記ボード体や上記側柵などの上部に手摺り部材を設けるようにしている。
【０００５】
そして、利用者がベッド本体上から立ち上がったり、ベッド本体上に戻って着座する際、或いはベッド装置に沿って歩き出すときなどに、上記手摺り部材につかまることで、それらの動作を安定した状態で確実に行えるようにしている。
【先行技術文献】
【特許文献】
【０００６】
【特許文献１】特開２０１０−９９３２０号公報
【発明の概要】
【発明が解決しようとする課題】
【０００７】
ところで、病院は病気の治療の場であるため、多様な感染者が存在する。そのため、病院内でベッド装置を用いると、そのベッド装置には本来の使用者だけでなく、感染者或いは感染者に接触した人などが触れるということがある。
【０００８】
とくに、ベッド装置の側柵やボード体の上部に、利用者が利用し易くするため、上述したように手摺り部材を設けると、その手摺り部材に感染者などが触れて汚染されるということがある。そして、汚染された手摺り部材にベッド装置の利用者や他の人が触れると、その手摺り部材に付着した汚れによって感染する、いわゆる院内感染を招くという虞があった。
【０００９】
この発明は、ベッド装置に設けられた手摺り部材に感染者などが触れるようなことがあっても、上記手摺り部材を介して病院内の他の人などに感染するのを防止できるようにしたベッド装置を提供することにある。
【課題を解決するための手段】
【００１０】
この発明は、ベッド本体と、
このベッド本体に設けられる手摺り部材を備え、
上記手摺り部材は殺菌性及び抗菌性を有する材料によって形成されていることを特徴とするベッド装置にある。
【００１１】
上記ベッド本体の幅方向の少なくとも一側には側柵が設けられ、この側柵の上部には上記手摺部材が設けられていることが好ましい。
【００１２】
上記ベッド本体の長手方向の少なくとも一端部にはボード体が設けられ、このボード体の上部には上記手摺部材が設けられていることが好ましい。
【００１３】
上記手摺り部材の少なくとも表面を構成する材料は銅若しくは銅を含む合金であることが好ましい。
【００１４】
上記手摺り部材は、取り外し可能に設けられていることが好ましい。
【発明の効果】
【００１５】
この発明によれば、ベッド本体に設けられる手摺り部材を殺菌性及び抗菌性を有する材料によって形成した。そのため、保菌者が手摺り部材に汚れた手で触れるなどしても、上記手摺り部材に付着した菌は殺菌されて繁殖するのが阻止されるから、上記手摺り部材を介して他の人に感染するのを防止することが可能となる。
【図面の簡単な説明】
【００１６】
【図１】この発明の第１の実施の形態を示すベッド装置の斜視図。
【図２】ボード体の第１の手摺り部材の取付け構造の一部を断面して示した正面図。
【図３】側柵の第２の手摺り部材の取付け構造の一部を断面して示した正面図。
【図４】この発明の第２の実施の形態を示すストレッチャータイプのベッド装置の斜視図。
【図５】この発明の第３の実施の形態を示すベッド装置に用いられるテーブル装置の斜視図。
【発明を実施するための形態】
【００１７】
以下、この発明の実施の形態を図面を参照して説明する。
【００１８】
図１乃至図３はこの発明の第１の実施の形態を示し、図１はベッド装置１の斜視図である。このベッド装置１は四隅部にストッパ付きのキャスタ２が設けられたベースフレーム３を備えている。このベースフレーム３にはベッド本体を構成するベッドフレーム４が図示しない上下駆動機構によって上下動可能に設けられている。
【００１９】
上記ベッドフレーム４の長手方向一端にはボード体としてのヘッドボード体６が設けられ、他端には同じくボード体としてのフットボード７体が設けられている。したがって、各ボード体６，７はベッドフレーム４と一体的に上下動するようになっている。
【００２０】
各ボード体６，７は板状部材８ａの幅方向両端部に支柱部材８ｂが設けられている。一対の支柱部材８ｂは、上記板状部材８ａよりも高さ寸法が大きく設定されていて、上記板状部材８ａの上端から上方へ突出した上端部間には後述する第１の手摺り部材９が着脱可能に取付けられている。
【００２１】
すなわち、一対の支柱部材８ｂの上端部には図２に示すように径方向に貫通した支持孔１１が穿設されていて、上記第１の手摺り部材９は両端部が上記支持孔１１に挿通支持されている。そして、上記支持孔１１に合成樹脂製などのキャップ１２が装着されている。それによって、一対の支柱部材８ｂ間に支持された上記第１の手摺り部材９は、上記キャップ１２のちらか一方を取り外し、取り外した方向にスライドさせることで、一対の支柱部材８ｂから取り外すことができるようになっている。
【００２２】
上記一対の支柱部材６ｂの下端部は上記板状部材８ａの下端よりも下方に突出していて、その下端部は上記ベッドフレーム４の四隅部に設けられた取付け部１３１３に着脱可能に支持されている。
【００２３】
上記ベッドフレーム４には床板体１５が設けられている。この床板体１５は分割された複数の床部からなる。すなわち、上記床板体１５は上記ベッドフレーム４の長手方向の中央部に幅方向に沿って取付け固定された固定床部１５ａを有する。この固定床部１５ａの上記ヘッドボード体６側に位置する一側には腰床部１５ｂ及び背床部１５ｃが順次回動可能に連結されている。
【００２４】
上記固定床部１５ａの上記フットボード体７側に位置する他側には第１の脚床部１５ｄと第２の脚床部１５ｅとが順次回動可能に連結されている。上記床板体１５の下面側には、上記床板体１５の固定床部１５ａを除く他の床部１５ｂ〜１５ｅを起伏駆動する図示しない背上げ機構が設けられている。
【００２５】
上記背上げ機構が作動すれば、上記腰床部１５ｂと背床部１５ｃとが上昇方向に駆動され、上記第１の脚床部１５ｄと第２の脚床部１５ｅとが山形状に屈曲しながら上昇方向に駆動されるようになっている。それによって、上記床板体１５に載置された図示しないマットレス上に仰臥した利用者は脚部を屈曲させながら上半身を起こすことができるようになっている。
【００２６】
上記ベッドフレーム４の幅方向の両側には２つで対をなす２組の取り付け部材１７が上記ヘッドフレーム４の幅方向外方に向かって突設されている。なお、この実施の形態では幅方向の一側に設けられた取り付け部材１７だけを図示している。各取り付け部材１７の先端には支持部材１８が水平方向に回動可能に連結されている。各支持部材１８には上下方向に貫通した取り付け孔（図示せず）が形成されている。
【００２７】
上記ヘッドボード体６側に位置する一対の支持部材１８には第１の側柵２１が着脱可能に支持され、フットボード体７側位置する一対の支持部材１８には第２の側柵２２が着脱可能に支持されている。
【００２８】
第１の側柵２１と第２の側柵２２は、構成は同じであって、左右方向を逆方向にして各一対の支持部材１８に取り付けられている。つまり、各側柵２１，２２はパイプ材によって上部辺が開放するＵ字状に形成された基部２４を有する。この基部２４の上端間には取り外し可能に第２の手摺り部材２５が取付けられている。
【００２９】
図３に示すように、上記第２の手摺り部材２５の両端部はＬ字状に折り曲げられ、その先端は上記基部２４の上端部に着脱可能に嵌合する、他の部分よりも小径な差込み部２５ａに形成されている。
【００３０】
そして、上記差込み部２５ａを上記基部２４の両側上端部に嵌合させ、上記基部２４からねじ２５ｂをねじ込むことで、上記第２の手摺り部材２５は上記基部２４に対して取り外し可能に取付けられている。
【００３１】
なお、上記第２の手摺り部材２５の両端部をＬ字状に折り曲げず、Ｌ字状の継ぎ手を用いて上記第２の手摺り部材２５と上記基部２４とを分解可能に連結するようにしてもよい。
【００３２】
図１に示すように、上記各側柵２１，２２の上記基部２４の一対の側辺部間の上部には横部材２６が架設されている。この横部材２６の両端部には、上記ベッドフレーム４の側部に設けられた一対の支持部材１８と同じ間隔で一対の脚部材２８が上端を連結して設けられている。
【００３３】
上記各脚部材２８の下端部は、上記支持部材１８に形成された図示しない取り付け孔に挿入可能な外径寸法に形成されている。各脚部材２８の下端部以外の部分は上記取り付け孔よりも大径に形成されている。
【００３４】
それによって、第１、第２の側柵２１，２２は一対の脚部材２８の下端部を、一対の支持部材１８の取り付け孔に挿入することで、ベッドフレーム４の側部に着脱可能に取付けられている。
【００３５】
上記第１の手摺り部材９と第２の手摺り部材２５は殺菌性及び抗菌性を有する材料によって形成されている。殺菌性及び抗菌性を有する材料としては、鋼の合金としてのＣｕ（銅）−Ｚｎ（亜鉛）−Ｎｉ（ニッケル）合金、Ａｇ（銀）を含む合金、Ｚｎを含む合金、ＴｉＯ２  （酸化チタン）などがある。鋼の合金としては銀白色銅合金、白色銅合金などが知られている。
【００３６】
そして、上記第１、第２の手摺り部材９，２５は、上述した殺菌性及び抗菌性を有する材料をロッド状或いは円筒状に加工して形成したり、他の材料である、たとえば鋼材（ステンレス鋼を含む）、アルミニウム或いは合成樹脂などをロッド状或いは円筒状に加工し、その表面に上述した殺菌性及び抗菌性を有する材料を適した方法、たとえば鍍金、塗装、吹き付け焼成などの手段によって設けるようにしている。
【００３７】
すなわち、上記第１、第２の手摺り部材９，２５は、利用者の手が触れる少なくとも表面が殺菌性及び抗菌性を有するよう形成されている。
【００３８】
このように構成されたベッド装置１によれば、ヘッドボード体６とフットボード体７の上部に架設された第１の手摺り部材９、及び第１、第２の側柵２１，２２の上部に架設された第２の手摺り部材２５を、それぞれ殺菌性及び抗菌性を有する材料によって形成するようにした。
【００３９】
そのため、ベッド装置１がたとえば病院で使用されている場合、そのベッド装置１の利用者が立ち上がる際に各ボード体６，７に設けられた第１の手摺り部材９に捉まったり、立ち上がって歩行するときに側柵２１，２２に設けられた第２の手摺り部材２５に捉まるなどのことがある。
【００４０】
上記第１の手摺り部材９や第２の手摺り部材２５はベッド装置１の利用者或いはベッド装置１の利用者以外の人が汚れた手で触れることがある。しかしながら、上記第１、第２の手摺り部材９，２５は、少なくとも表面が上述したように殺菌性及び抗菌性を有する材料によって形成されている。
【００４１】
そのため、上記第１の手摺り部材９や第２の手摺り部材２５が利用者や他の人によって汚れた手で触れられて細菌が付着するようなことがあっても、上記各手摺り部材９９，２５の殺菌性及び抗菌性によって細菌が繁殖して拡散するのが防止される。
【００４２】
つまり、保菌者によって上記各手摺り部材９９，２５に細菌などの汚れが付着するようなことがあっても、それが原因となって感染が拡大する、いわゆる院内感染を招くのを防止することができる。
【００４３】
上記第１の手摺り部材９は上記ヘッドボード体６及び上記フットボード体７に対して取り外し可能に設けられ、上記第２の手摺り部材２５は上記第１、第２の側柵２１，２２に対して取り外し可能に設けられている。
【００４４】
そのため、比較的高価な殺菌性及び抗菌性を有する上記第１の手摺り部材９或いは上記第２の手摺り部材２５が不要な場合には、ベッド装置１を工場から出荷する際に、上記第１、第２の手摺り部材９，２５を、鋼材や合成樹脂材などの殺菌性及び抗菌性を備えていない安価な材料によって形成されたものに交換することができる。
【００４５】
つまり、殺菌性及び抗菌性が要求されるベッド装置１の場合にだけ、第１、第２の手摺り部材９，２５に殺菌性及び抗菌性を有するものを使用できるから、経済的である。
【００４６】
さらに、１つの病院内において、設置されるベッド装置１の病棟や病室などに応じて第１、第２の手摺り部材９，２５に殺菌性及び抗菌性を有するものを使用することが要求されることがある。
【００４７】
そのような場合には、殺菌性及び抗菌性が要求された箇所に設置されるベッド装置１の第１、第２の手摺り部材９，２５に殺菌性及び抗菌性を有するものを使用し、他の箇所に設置されるベッド装置１には安価な材料によって作られたものを使用すればよい。
【００４８】
つまり、病院などにおいて殺菌性及び抗菌性を備えた第１、第２の手摺り部材９，２５と、殺菌性及び抗菌性を備えていない通常の安価な第１、第２の手摺り部材９，２５を用意しておき、必要に応じて殺菌性及び抗菌性を有する高価な第１、第２の手摺り部材９，２５に交換して使用することができる。
【００４９】
そのようにすれば、殺菌性及び抗菌性を備えた高価な第１、第２の手摺り部材９，２５を必要な分だけ、つまり病院全体のベッド装置１に用いられる数よりも少なく数だけ用意しておけばよいから、コストの低減を図ることが可能とる。
【００５０】
図４はこの発明の第２の実施の形態であって、この実施の形態はストレッチャータイプのベッド装置１Ａに適用した例である。なお、第１の実施の形態と同一部分には同一記号を付して説明を省略する。
【００５１】
すなわち、上記ベッド装置１Ａはベースフレーム３を有し、このベースフレーム３には昇降機構３１によってベッド本体を構成するベッドフレーム３２が上下動可能に設けられている。
【００５２】
上記ベッドフレーム３２の上面には床板３３が設けられている。この床板３３は上記ベッドフレーム３２に固定された固定床部３３ａと、この固定床部３３ａに起伏可能に連結された背上げ床部３３ｂによって構成されている。上記背上げ床部３３ｂは背上げ機構を構成するハンドル３４によって起伏駆動できるようになっている。
【００５３】
上記ベッドフレーム３２の幅方向両側には一対の第３の手摺り部材３５が取り外し可能に設けられている。上記第３の手摺り部材３５を上記ベッドフレーム３２に対して着脱可能に取付ける構造は、ねじ止め構造、継ぎ手構造などの周知の手段が用いられる。
【００５４】
上記第３の手摺り部材３５は第１の実施の形態における第１、第２の手摺り部材９，２５と同様、たとえば銅若しくは銅を含む合金などによって少なくとも表面が殺菌性及び抗菌性を有する材料によって形成されている。
【００５５】
このような構成のベッド装置１Ａによれば、第１の実施の形態のベッド装置１と同様、手の汚れた人などが第３の手摺り部材３５に触れることで細菌が付着するようなことがあっても、上記第３の手摺り部材３５が備えた殺菌性及び抗菌性によって細菌を死滅させることができるから、上記第３の手摺り部材３５に付着した細菌などの汚れによって感染が拡大するのを防止することができる。
【００５６】
図５はこの発明の第３の実施の形態である。この実施の形態はたとえば第１の実施の形態に示されたベッド装置１の図示しないマットレス上に仰臥した利用者が食事や読書などの際に利用するテーブル装置４１であって、このテーブル装置４１は脚体４２を有する。この脚体４２は四隅部に設けられたキャスタ４３によって走行可能に設けられたベース部４２ａを有する。
【００５７】
上記ベース部４２ａには支柱部４５が立設されている。この支柱部４５にはたとえばガススプリングなどによって高さ調整可能に可動部材４６が設けられ、この可動部材４６の上端にテーブル４７の長手方向の一端部の下面が取付けられている。そして、このテーブル４７の上面に、殺菌性及び抗菌性を備えた材料、たとえばＣｕ−Ｚｎ−Ｎｉ合金によって作られた天板４８が設けられている。
【００５８】
このような構成によれば、手が汚れた利用者や他の人がテーブル４７の天板４８に触れ、感染性の細菌が上記天板４８に付着するようなことがあっても、上記板材４８が持つ殺菌性及び抗菌性によって細菌を死滅させ、増殖するのを防止することができる。
【００５９】
したがって、ベッド装置１とともに使用されるテーブル装置４１が原因となって病院内における感染が拡大するのを防止できる。
【００６０】
なお、第３の実施の形態において、テーブル４７の表面、つまり天板４８だけを殺菌性及び抗菌性を備えた材料で作るようにしたが、テーブル４７全体を殺菌性及び抗菌性を有する材料で作るようにしてもよい。
【００６１】
また、上記テーブル４７を可動部材４６に対して取り外し可能に設け、殺菌性及び抗菌性を有するテーブル４７と、殺菌性及び抗菌性を備えていない安価なテーブル４７を必要に応じて使い分けするようにしてもよい。
【００６２】
上記第１の実施の形態ではヘッドボード体とフットボード体を有し、しかもベッドフレームの幅方向の一側に２つの側柵が設けられたベッド装置を例に挙げて説明したが、フットボードがなく、ヘッドボードだけを有するベッド装置、或いはヘッドボードとフットボードがなく側柵だけが設けられるベッド装置であってもよい。
【００６３】
また、側柵がなく、ヘッドボードとフットボード或いはヘッドボードだけを備えたベッド装置であっても適用することが可能である。
【００６４】
また、上記各実施の形態では第１乃至第３の手摺り部材をベッド本体に対して取り外し可能に設ける例を挙げて説明したが、上記第１乃至第３の手摺り部材をベッド本体から取り外せないよう、ベッド本体と一体に設け、抗菌性、殺菌性を有する手摺り部材を備えたベッド装置と、そうでないベッド装置とを区別して、たとえば販売などの際に取り扱うようにしてもよい。
【００６５】
そのようにすることで、抗菌性、殺菌性を有する手摺り部材を用いたベッド装置が必要な場合と、そうでない通常の手摺り部材を用いたベッド装置が必要な場合とに応じてベッド装置を確実に選択して購入することができる。
【符号の説明】
【００６６】
１，１Ａ…ベッド装置、４，３２…ベッドフレーム（ベッド本体）、６…ヘッドボード体、７…フットボード体、９…第１の手摺り部材、２１…第１の側柵、２２…第２の側柵、２５…第２の手摺り部材、３５…第３の手摺り部材、４１…テーブル装置、４７…テーブル、４８…天板。
【図１】
2014188346.tif 000003
【図２】
2014188346.tif 000004
【図３】
2014188346.tif 000005
【図４】
2014188346.tif 000006
【図５】
2014188346.tif 000007